(57)【要約】【課題】専用の絞り出し具を用いる必要がなく、筆記用具等を用いて簡単かつ確実に内容物を絞り出すことができるパウチ容器を提供する。【解決手段】フレキシブルシートによって袋状に形成された容器本体１０と、この容器本体１０に取り付けられる熱接着性樹脂によって形成されたスパウト２０とから構成されている。容器本体１０は、表裏一対の外装シート１１及び両外装シート１１の両側部から内側に折り込まれて左右のガセット部を形成する左右一対の側部ガセットシート１２から構成されており、側部ガセットシート１２の内面の周縁が外装シート１１の内面にヒートシールされると共に、外装シート１１の内面の上縁部及び下縁部が相互にヒートシールされることで、袋状に形成されている。下端コーナ部の略三角形状のヒートシール領域には、ボールペンや鉛筆といった筆記用具等の棒状部材または定規等の板状部材が係合可能な切目１０ａがそれぞれ形成されている。【選択図】        図２
2015168439.tif 000002
【特許請求の範囲】
【請求項１】
少なくとも可撓性を有する表裏一対の外装シートを有し、下縁部の幅方向両側にヒートシール部を備えるパウチ容器において、
前記ヒートシール部に、巻取部材の少なくとも一端側が係合可能な係合部を備えることを特徴とするパウチ容器。
【請求項２】
前記ヒートシール部の内縁が、下端から幅方向外方に向かって傾斜している、請求項１に記載のパウチ容器。
【請求項３】
さらに幅方向両側に設けられた一対の側部ガセットシートを有し、
前記ヒートシール部は、前記外装シートと前記側部ガセットシートをヒートシールすることで形成されたものである、請求項１または２に記載のパウチ容器。
【請求項４】
前記係合部が、スリット、孔或いは切欠部又はそれらの組み合わせである請求項１、２または３に記載のパウチ容器。
【発明の詳細な説明】
【技術分野】
【０００１】
この発明は、可撓性シートをヒートシールすることによって袋状に形成されたパウチ容器に関する。
【背景技術】
【０００２】
この種のパウチ容器としては、例えば、図１２に示すように、表裏一対の外装シート５１ａの両側部からガセットシート５１ｂが内側に折り込まれ、そのガセットシート５１ｂの周縁部が外装シート５１ａにヒートシールされると共に外装シート５１ａの上縁部及び下縁部が相互にヒートシールされることによって袋状に形成されたサイドガセットタイプの容器本体５１に、スクリューキャップ等の口栓によって飲口や注口となる口部を開閉することができるスパウト５２が装着されたパウチ容器が知られている。
【０００３】
こういったパウチ容器は、スポーツドリンク等の飲料、アイスクリームやゼリー等の食品を充填するための容器として使用される他、経腸栄養剤（ＰＥＧ用栄養剤）、ビタミンなどを含有した栄養補助食品や水分補給用のゼリーなどの流動食品を充填するための容器として医療用途にも使用されているが、流動食品は比較的粘度が高いため、充填された流動食品を余すことなく注出することが難しいという問題があった。
【０００４】
係る問題を解決するため、特許文献１においては、パウチ容器に充填された内容物を絞り出すための絞り出し具が提案されている。この絞り出し具は、一対のアーム状の締めつけ部と、その一方の端部同士を連結するヒンジ部と、もう一方の端部に設けられた開閉自在な係止部とを備えており、一対の締めつけ部の間にパウチ容器の底部を挟み込んだ状態で締めつけ部を固定することにより、絞り出し具をパウチ容器に取り付け、この絞り出し具をパウチ容器の開口側にスライドさせることにより、パウチ容器内の充填物を絞り出すようになっている。
【０００５】
また、特許文献２には、チューブ容器の絞り出し具が開示されている。この絞り出し具は、チューブ容器の末端部に挿入可能なスリット状の開口部を有する軸と、この軸の末端に連設された把手とを備えており、軸のスリット状の開口部にチューブ容器の末端を挿入した状態で、絞り出し具を回転させることによって、軸にチューブ容器を巻き取り、チューブ容器内の充填物を絞り出すようになっている。
【先行技術文献】
【特許文献】
【０００６】
【特許文献１】特開２００１−１３９０７０号公報
【特許文献２】特開２００４−２１０３２３号公報
【発明の概要】
【発明が解決しようとする課題】
【０００７】
しかしながら、前者の絞り出し具は、比較的構造が複雑であり、繰り返し使用しているうちにヒンジ部が破断するおそれがあると共に、パウチ容器に挟み付けた一対の締めつけ部をパウチ容器に対してスライドさせる行為自体が難しく、作業性が悪いといった問題がある。
【０００８】
一方、後者の絞り出し具は、比較的簡易な構造であり、絞り出し行為自体も容易に行えるので、例えば、軸のスリット部にパウチ容器の底部を挿入し、絞り出し具を回転させて軸にパウチ容器を巻き取ることにより、パウチ容器の絞り出し具として使用することも可能であるが、パウチ容器は、比較的剛性の高い可撓性シートで形成されており、しかも、内容物が充填されているので、パウチ容器の底部を絞り出し具のスリット部に挿入してこれを巻き取る際、パウチ容器の底部がスリット部から容易に離脱してしまい、簡便に内容物を絞り出すことができない場合がある。
【０００９】
そこで、この発明の課題は、専用の絞り出し具を用いる必要がなく、筆記用具等の棒状部材または板状部材を巻取部材として用いて簡単かつ確実に内容物を絞り出すことができるパウチ容器を提供することにある。
【課題を解決するための手段】
【００１０】
上記の課題を解決するため、請求項１に係る発明は、少なくとも可撓性を有する表裏一対の外装シートを有し、下縁部の幅方向両側にヒートシール部を備えるパウチ容器において、前記ヒートシール部に、巻取部材の少なくとも一端側が係合可能な係合部を備えることを特徴とするパウチ容器を提供するものである。
【００１１】
また、請求項２に係る発明は、請求項１に係る発明のパウチ容器において、前記ヒートシール部の内縁が、下端から幅方向外方に向かって傾斜していることを特徴としている。
【００１２】
また、請求項３に係る発明は、請求項１または２に係る発明のパウチ容器において、さらに幅方向両側に設けられた一対の側部ガセットシートを有し、前記ヒートシール部は、前記外装シートと前記側部ガセットシートをヒートシールすることで形成されたものであることを特徴としている。
【００１３】
前記係合部は、請求項４に係る発明のように、スリット、孔或いは切欠部又はそれらの組み合わせを採用することができる。
【発明の効果】
【００１４】
以上のように、請求項１に係る発明のパウチ容器は、下縁部の幅方向両側に設けられたヒートシール部に、巻取部材の少なくとも一端側が係合可能な係合部を備えているので、巻取部材を係合部に係合させた状態で巻取部材を回転させてパウチ容器を巻き取ることにより、内容物を絞り出すことができる。
【００１５】
特に、巻取部材の少なくとも一端側をパウチ容器の係合部に係合させているので、パウチ容器を巻き取る際、巻取部材がパウチ容器の底部から容易に離脱することがなく、簡単かつ確実に内容物を絞り出すことができる。
【００１６】
巻取部材としては、ボールペンやシャープペンシルといった筆記用具等の棒状部材や、定規等の板状部材を使用することができるので、専用の絞り出し具を用意する必要もない。特に、クリップ付きの筆記用具を使用する場合は、本体部だけでなく、クリップ部をパウチ容器に形成された係合部に係合させることもできる。
【００１７】
また、請求項２に係る発明のパウチ容器は、ヒートシール部の内縁が、下端から幅方向外方に向かって傾斜しているので、巻取部材を用いてパウチ容器を巻き取る際、内容物が狭い所から広いところに押し出され、内容物を余すことなく絞り出すことができる。
【００１８】
また、請求項３に係る発明のパウチ容器は、幅方向両側に設けられた一対の側部ガセットシートを有し、ヒートシール部は、外装シートと側部ガセットシートをヒートシールすることで形成されており、内容物を絞り出す際に底部が扁平状態になっているパウチ容器は、表裏一対のヒートシール部が重なり合った状態となって、係合部が形成されている下縁部の幅方向両側の剛性が大きくなっているので、巻取部材を用いてパウチ容器を巻き取る際、係合部に係合させた巻取部材が傾きにくく、パウチ容器を円滑かつ確実に巻き取ることができる。
【図面の簡単な説明】
【００１９】
【図１】この発明に係るパウチ容器の一実施形態を示す斜視図である。
【図２】同上のパウチ容器を扁平に折り畳んだ状態を示す正面図である。
【図３】（ａ）、（ｂ）は同上のパウチ容器に充填された内容物を絞り出す作業を説明するための説明図である。
【図４】他の実施形態であるパウチ容器を示す部分正面図である。
【図５】他の実施形態であるパウチ容器を示す部分正面図である。
【図６】（ａ）は他の実施形態であるパウチ容器を示す部分正面図、（ｂ）は同上のパウチ容器に巻取具としてボールペンを取り付けた状態を示す部分正面図である。
【図７】他の実施形態であるパウチ容器を示す部分正面図である。
【図８】他の実施形態であるパウチ容器を示す部分正面図である。
【図９】（ａ）は巻取用の専用治具を示す平面図、（ｂ）は同上の専用治具を示す側面図、（ｃ）は図２に示すパウチ容器に同上の専用治具を取り付けた状態を示す部分正面図である。
【図１０】（ａ）は他の実施形態であるパウチ容器を示す正面図、（ｂ）は同上のパウチ容器に巻取具としてボールペンを取り付けた状態を示す部分正面図である。
【図１１】（ａ）〜（ｃ）は他の実施形態であるパウチ容器を示す正面図である。
【図１２】一般的なパウチ容器を示す正面図である。
【発明を実施するための形態】
【００２０】
以下、実施の形態について図面を参照して説明する。図１及び図２に示すように、このパウチ容器１は、フレキシブルシートによって袋状に形成された容器本体１０と、この容器本体１０に取り付けられる熱接着性樹脂によって形成されたスパウト２０とから構成されている。
【００２１】
前記容器本体１０を形成しているフレキシブルシートは、通常、単層又は複層の樹脂フィルムから構成されており、ベースフィルム層と、ヒートシール性を付与するシーラント層とを有する複層シートが好適であり、高いガスバリア性が要求される場合には、ベースフィルム層とシーラント層との間にガスバリア層を設けることが好適である。
【００２２】
前記ベースフィルム層を構成するフィルムとしては、ポリエチレンテレフタレート等のポリエステル、ポリエチレン、ポリプロピレン等のポリオレフィン、ナイロン−６、ナイロン−６６などのポリアミド及びエチレン−ビニルアルコール共重合体（ＥＶＯＨ）等から構成される一層又は二層以上の延伸又未延伸フィルムが例示できる。
【００２３】
前記シーラント層を構成するフィルムとしては、低密度ポリエチレン（ＬＤＰＥ）、直鎖状低密度ポリエチレン（ＬＬＤＰＥ）、高密度ポリエチレン（ＨＤＰＥ）、エチレン−プロピレン共重合体（ＥＰ）、未延伸ポリプロピレン（ＣＰＰ）、二軸延伸ナイロン（ＯＮ）、エチレン−オレフィン共重合体、エチレン−アクリル酸共重合体（ＥＡＡ）、エチレン−メタクリル酸共重合体（ＥＭＡＡ）及びエチレン−酢酸ビニル共重合体（ＥＶＡ）等から構成される一層又は二層以上の延伸又未延伸フィルムが例示できる。
【００２４】
前記ガスバリア層としては、アルミニウム等の金属薄膜、又は塩化ビニリデン（ＰＶＤＣ）、エチレン−ビニルアルコール共重合体（ＥＶＯＨ）などの樹脂フィルム、或いは任意の合成樹脂フィルム（例えば、ベースフィルム層であってもよい）に、アルミニウム、酸化アルミニウムやシリカ等の無機酸化物などを蒸着（又はスパッタリング）したフィルムが例示できる。
【００２５】
前記容器本体１０は、図２に示すように、上述したフレキシブルシートによって形成された、表裏一対の外装シート１１、１１及び両外装シート１１、１１の両側部から内側に折り込まれて左右のガセット部を形成する左右一対の側部ガセットシート１２、１２から構成されており、折り込まれた側部ガセットシート１２、１２の内面の周縁が外装シート１１、１１の内面にヒートシールされると共に、外装シート１１、１１の内面の上縁部及び下縁部が相互にヒートシールされることで、袋状に形成されている。なお、図２における網掛け表示部分が、容器本体１０のヒートシール部分を示している。
【００２６】
前記容器本体１０のヒートシール部分は、外装シート１１の側縁と側部ガセットシート１２の側縁とが所定幅でヒートシールされた側縁シール部ＳＳ、外装シート１１、１１の上縁同士または外装シート１１の上縁とスパウト２０とが所定幅でヒートシールされた上縁シール部ＵＳ、外装シート１１、１１の下縁同士が所定幅でヒートシールされた下縁シール部ＤＳ、外装シート１１、１１の下縁部の幅方向両側と側部ガセットシート１２とがそれぞれヒートシールされた下角シール部ＤＣＳ、外装シート１１、１１の上縁部の幅方向両側と側部ガセットシート１２とがヒートシールされた上角シール部ＵＣＳから構成されており、前記下角シール部ＤＣＳ及び上角シール部ＵＣＳは、そのシール内縁が幅方向外方に向かって傾斜した略三角形状を有している。
【００２７】
前記下角シール部ＤＣＳには、ボールペンや鉛筆といった筆記用具等の棒状部材や定規等の板状部材といった巻取部材が係合可能な切目１０ａがそれぞれ形成されており、切目１０ａは、縦方向に延びる直線部と、この直線部の両端部から、外装シート１１の幅方向の内側に向かって円弧状に湾曲した曲線部とから構成され、切目１０ａに囲われた部分を舌片として起こすことができるようになっている。
【００２８】
また、同図に示すように、側部ガセットシート１２、１２は、二つ折りされた状態の合わせ目縁側の上端コーナ部及び下端コーナ部に切除部１２ａがそれぞれ形成されており、この切除部１２ａ部分において外装シート１１同士が相互にヒートシール（ポイントシール）されている。このように、側部ガセットシート１２に切除部１２ａを形成したのは、外装シート１１の上縁部及び下縁部の両端を相互に固着することによって、内容物を充填したときの容器本体１０を所定の形状（図１参照）に保持するためである。
【００２９】
前記スパウト２０は、ポリエチレンやポリプロピレン等により形成され、袋状の容器本体１０に取り付けられる固着部２１と、この固着部２１の上部に設けられた、スクリューキャップ２２によって開閉可能な飲口または注口となる口部とから構成されており、固着部２１が表裏一対の外装シート１１、１１の上縁部に挟み込まれた状態で、その側面が外装シート１１、１１の上縁部にヒートシールされている。
【００３０】
以上のように、このパウチ容器１は、容器本体１０の下角シール部ＤＣＳに、棒状部材や板状部材といった巻取部材の一端側が係合可能な切目１０ａが形成されているので、例えば、図３（ａ）に示すように、棒状部材としてボールペンＢＰの先端側を一方の切目１０ａに挿入しながら、クリップＣを他方の切目１０ａに挿入してその切目１０ａによって形成される舌片に掛止させた状態で、同図（ｂ）に示すように、ボールペンＢＰを回転させて容器本体１０を巻き取ることにより、内容物を絞り出すことができる。
【００３１】
特に、ボールペンＢＰの両端部を容器本体１０に形成された切目１０ａ、１０ａに係合させているので、容器本体１０を巻き取る際、ボールペンＢＰが容器本体１０の底部から容易に離脱することがなく、簡単かつ確実に内容物を絞り出すことができる。
【００３２】
また、このパウチ容器１では、ボールペンや鉛筆等の筆記用具を使用して容器本体１０を巻き取ることができるので、専用の絞り出し具を用意する必要がなく、上述したように、クリップ付きの筆記用具を使用する場合は、筆記用具の本体部だけでなく、クリップ部を容器本体１０に形成された切目１０ａに係合させることができるので作業性もよい。
【００３３】
また、このパウチ容器１は、下角シール部ＤＣＳの内縁が、下端から幅方向外方に向かって傾斜しているので、巻取部材を用いてパウチ容器１を巻き取る際、内容物が狭い所から広いところに押し出され、内容物を余すことなく絞り出すことができる。
【００３４】
また、下角シール部ＤＣＳは、外装シート１１と側部ガセットシート１２をヒートシールすることで形成されており、内容物を絞り出す際に底部が扁平状態になっているパウチ容器１は、対応する表裏の下角シール部ＤＣＳが重なり合った状態となって、切目１０ａが形成されている下縁部の幅方向両側の剛性が大きくなっているので、巻取部材を用いてパウチ容器１を巻き取る際、切目１０ａに係合させた巻取部材が傾きにくく、パウチ容器１を円滑かつ確実に巻き取ることができる。
【００３５】
なお、上述した実施形態では、クリップ付きのボールペンＢＰを使用して容器本体１０を巻き取る場合について説明したが、これに限定されるものではなく、クリップのない筆記用具や定規等の扁平な板状部材を左右の切目１０ａ、１０ａに挿入して容器本体１０を巻き取ることも可能である。
【００３６】
また、上述した実施形態では、棒状部材や板状部材といった巻取部材が係合可能な係合部として、縦方向に延びる直線部と、この直線部の両端部から外装シート１１の幅方向の内側に向かって円弧状に湾曲した曲線部とから構成された切目１０ａを採用しているが、これに限定されるものではなく、例えば、図４に示すように、縦方向に延びる直線部の両端部に破断防止用の小径の円弧部が連設された切目１０ｂを採用することも可能である
【００３７】
また、上述した実施形態では、棒状部材や板状部材といった巻取部材が係合可能な係合部として、切目１０ａ、１０ｂを採用しているが、これに限定されるものではなく、例えば、図５に示すように、巻取部材を挿入可能な孔１０ｃを採用したり、図６（ａ）、（ｂ）に示すように、ボールペンＢＰ等のクリップ部Ｃを掛止可能な切り欠き１０ｄを採用することも可能である。
【００３８】
また、上述した実施形態では、棒状部材や板状部材といった巻取部材が係合可能な係合部として、切目１０ａ、切目１０ｂ、孔１０ｃまたは切り欠き１０ｄのいずれかを採用しているが、これに限定されるものではなく、例えば、図７に示すように、切目１０ａと切り欠き１０ｄとを組み合わせたり、図８に示すように、孔１０ｃと切り欠き１０ｄとを組み合わせるといった具合に、２種類の係合部を組み合わせることも可能である。
【００３９】
また、上述した各実施形態では、棒状部材や板状部材といった巻取部材の両端部がそれぞれ係合可能な左右一対の係合部（切目１０ａ、切目１０ｂ、孔１０ｃ、切り欠き１０ｄ）を容器本体１０の左右の下端コーナ部に形成しているが、これに限定されるものではなく、容器本体１０を巻き取るためには、巻取部材の少なくとも一端側が係合可能であればよいので、いずれか一方の下端コーナ部に係合部を形成するものであってもよい。
【００４０】
また、上述した各実施形態では、ボールペンや鉛筆といった筆記用具等の棒状部材や定規等の板状部材を容器本体１０の巻取部材として使用しているが、これに限定されるものではなく、例えば、図９（ａ）、（ｂ）に示すような扁平なバー部材ＢＭの一端側に操作部ＯＭが連設された専用の治具ＥＪを用意し、同図（ｃ）に示すように、左右一対の切目１０ａにバー部材ＢＭを通して、操作部ＯＭをもって回転させることによって容器本体１０を巻き取るようにしてもよい。
【００４１】
また、上述した各実施形態では、容器本体１０がサイドガセットタイプのパウチ容器について説明したが、これに限定されるものではなく、例えば、図１０（ａ）、（ｂ）に示すように、表裏一対の外装シート１１、１１及び両外装シート１１、１１の間に下部から内側に折り込まれてガセット部を形成する底部ガセットシート１３から構成されるボトムガセットタイプの容器本体１０Ａを有するパウチ容器２についても本発明を適用することができる。ボトムガセットタイプの容器本体１０Ａを構成している底部ガセットシート１３は、通常、二つ折りされた状態の合わせ両側縁に切除部１３ａがそれぞれ形成されており、この切除部１３ａ部分において外装シート１１同士が相互にヒートシール（ポイントシール）されているので、外装シート１１、１１と底部ガセットシート１３とのヒートシール領域におけるポイントシール部の内側近傍に上述した切目１０ａ等の係合部を形成すればよい。なお、図１０（ａ）、（ｂ）における網掛け表示部分がヒートシール部分を示しており、同図（ａ）における二点鎖線で囲われた部分がパウチ容器２の下角シール部ＤＣＳとなる。
【００４２】
また、図１１（ａ）〜（ｃ）に示すように、表裏一対の外装シート１１、１１の周縁部を相互にヒートシールしてなる平袋タイプのパウチ容器３Ａ、３Ｂ、３Ｃについても、本発明を適用することができ、その場合は、同図（ａ）に示すように、下縁シール部のシール幅を大きくしたり、両側縁シール部のシール幅を大きくしたりする他、同図（ｃ）に示すように、下端コーナ部のシール領域だけを拡大することによって、切目１０ａの形成領域を確保する必要がある。なお、図１１（ａ）〜（ｃ）における網掛け表示部分が、外装シート１１のヒートシール部分を示しており、同図（ａ）〜（ｃ）における二点鎖線で囲われた部分が、パウチ容器３Ａ、３Ｂ、３Ｃの下角シール部ＤＣＳとなる。
【００４３】
また、上述した各実施形態では、外装シート１１、１１の周縁部が全周に渡ってヒートシールされたパウチ容器について説明したが、これに限定されるものではなく、例えば、１枚のフレキシブルシートを折り込むことによって、サイドガセット部やボトムがセット部を形成するサイドガセットタイプやボトムがセットタイプのパウチ容器や１枚のフレキシブルシートを折り返して表裏一対の外装シート１１、１１を形成する平袋タイプのパウチ容器等については、下角シール部ＤＣＳが存在していれば、外装シートの周縁部が全周に渡ってヒートシールされている必要はない。
【産業上の利用可能性】
【００４４】
本発明は、充填された内容物を余すことなく注出することが難しいウチ容器に利用することができる。
【符号の説明】
【００４５】
１、２、３Ａ、３Ｂ、３Ｃ  パウチ容器
１０、１０Ａ  容器本体
１０ａ、１０ｂ  切目（係合部）
１０ｃ  孔（係合部）
１０ｄ  切り欠き（係合部）
１１  外装シート
１２  側部ガセットシート
１３  底部ガセットシート
１２ａ、１３ａ  切除部
２０  スパウト
２１  固着部
２２  スクリューキャップ
ＳＳ  側縁シール部
ＵＳ  上縁シール部
ＤＳ  下縁シール部
ＤＣＳ  下角シール部
ＵＣＳ  上角シール部
ＢＰ  ボールペン
Ｃ  クリップ
ＥＪ  専用治具
ＢＭ  バー部材
ＯＭ  操作部
【図１】
2015168439.tif 000003
【図２】
2015168439.tif 000004
【図３】
2015168439.tif 000005
【図４】
2015168439.tif 000006
【図５】
2015168439.tif 000007
【図６】
2015168439.tif 000008
【図７】
2015168439.tif 000009
【図８】
2015168439.tif 000010
【図９】
2015168439.tif 000011
【図１０】
2015168439.tif 000012
【図１１】
2015168439.tif 000013
【図１２】
2015168439.tif 000014